(57)【特許請求の範囲】
【請求項１】
映像信号に含まれる同期信号に基づいて、前記映像信号に所定の信号処理を施すための制御信号を生成、出力する表示駆動装置において、
前記表示駆動装置は、前記映像信号に含まれる第１の同期信号のタイミング変動を示す判別信号を生成する判別信号生成部と、
前記第１の同期信号に基づいて、第１の基準信号を生成する第１の基準信号生成部と、
前記第１の同期信号のタイミングの変動に影響されない別個独立した第２の同期信号に基づいて、前記第１の同期信号のタイミング変動を許容する範囲を設定する許容範囲設定部と、
前記第２の同期信号に基づいて、第２の基準信号を生成する第２の基準信号生成部と、
前記判別信号の所定のタイミングが前記許容範囲に含まれているか否かを判別する判定部と、
前記判定の結果に基づいて、前記第１の基準信号又は前記第２の基準信号のいずれかを選択して、前記制御信号として出力する信号選択部と、を備え、
前記第２の基準信号の信号幅は、前記第１の基準信号の信号幅よりも短く設定されていることを特徴とする表示駆動装置。
【請求項２】
前記信号選択部は、
前記判定部により前記判別信号の所定のタイミングが前記許容範囲に含まれていると判別された場合には、前記第１の基準信号を選択し、
前記判定部により前記判別信号の所定のタイミングが前記許容範囲に含まれていないと判別された場合には、前記第２の基準信号を選択することを特徴とする請求項１記載の表示駆動装置。
【請求項３】
前記第１の同期信号は、水平同期信号であり、
前記制御信号は、前記映像信号に含まれるカラーバースト信号を抽出するためのバーストゲート信号であることを特徴とする請求項１または２に記載の表示駆動装置。
【発明の詳細な説明】
【０００１】
【発明の属する技術分野】
本発明は、表示駆動装置に関し、特に、映像信号に含まれる同期信号に基づいて、該映像信号を表示制御するための信号を生成する手段を備えた表示駆動装置に関する。
【０００２】
【従来の技術】
近年、デジタルビデオカメラやデジタルスチルカメラ等に代表される撮像機器には、撮影された画像等を表示するための液晶表示装置（Liquid Crystal Display；ＬＣＤ）が搭載されることが一般的となっている。また、コンピュータやテレビジョン等の情報端末や映像機器のモニタやディスプレイとして、従来のブラウン管（ＣＲＴ）に替えて、液晶表示装置が多用されるようになってきている。
以下に、従来の液晶表示装置の概略構成例について、図６、図７を参照して説明する。ここでは、液晶表示装置としてアクティブマトリックス型液晶表示パネルを用いた場合の構成について説明する。
【０００３】
図６に示すように、従来の液晶表示装置の概略構成は、大別して、液晶表示パネル１０と、信号ドライバ（ソースドライバ）２０と、走査ドライバ（ゲートドライバ）３０と、ＬＣＤコントローラ４０と、ビデオインターフェース回路５０と、デジタル−アナログ変換器（以下、Ｄ／Ａ変換器と記す）６０とを有している。
液晶表示パネル１０は、概略、マトリクス状に配置された画素電極と、画素電極にソースが接続された薄膜トランジスタ（Thin Film Transistor；以下、ＴＦＴと略記する）と、マトリクスの行方向に延伸し、複数のＴＦＴのゲートに接続された走査ラインと、マトリクスの列方向に延伸し、複数のＴＦＴのドレインに接続された信号ラインと、画素電極に対向して配置された対向電極（共通電極）と、画素電極と対向電極の間に充填された液晶とを有して構成され、後述する信号ドライバ２０及び走査ドライバ３０により選択される画素電極に所定の信号電圧を印加することにより、液晶の配列を制御して所定の画像情報を表示出力する。
【０００４】
信号ドライバ２０は、後述するＬＣＤコントローラ４０から供給される水平制御信号に基づいて、画像情報に対応する信号電圧を信号ラインを介して各画素電極に供給する。また、走査ドライバ３０は、ＬＣＤコントローラ４０から供給される垂直制御信号に基づいて、各走査ラインに走査信号を順次印加して選択状態とし、上記信号ラインと交差する位置に配置された画素電極に、上記信号ラインに供給された信号電圧を印加する。
ＬＣＤコントローラ４０は、図７に示すように、後述するビデオインターフェース回路５０から供給されるシステムクロックＳＹＳＣＫ及び水平同期信号ＸＨＤに基づいて、予め設定された所定の遅延タイミングで、バーストゲートパルスＢＧＰやサンプリングスタート信号ＳＲＴ等を生成する。生成されたバーストゲートパルスＢＧＰは、再びビデオインターフェース回路５０に出力される。
【０００５】
なお、バーストゲートパルスＢＧＰは、後述するように、例えば、テレビチューナーやビデオテープレコーダＶＴＲ等の外部機器からビデオインターフェース回路５０に供給され、輝度信号やカラー信号、同期信号の混合しているビデオ信号（コンポジットビデオ信号）に含まれるカラーバースト信号を抽出するための制御信号であり、サンプリングスタート信号ＳＲＴは、液晶表示パネル１０に表示される画像情報を所定のタイミングでサンプリング（画像情報の表示開始のタイミングを設定）する際に用いられる制御信号である。
また、ＬＣＤコントローラ４０は、水平同期信号ＸＨＤ、垂直同期信号ＸＶＤ及びシステムクロックＳＹＳＣＫに基づいて、水平制御信号や垂直制御信号を信号ドライバ２０及び走査ドライバ３０に各々供給することにより、所定のタイミングで画素電極に信号電圧を印加して、液晶表示パネル１０に所望の画像情報を表示させる制御を行う。
【０００６】
ビデオインターフェース回路５０は、システムクロックＳＹＳＣＫを信号ドライバ２０、ＬＣＤコントローラ４０、Ｄ／Ａ変換器６０等に動作クロックとして供給するとともに、このシステムクロックＳＹＳＣＫに同期した水平同期信号ＸＨＤ、垂直同期信号ＸＶＤをＬＣＤコントローラ４０に供給する。
また、ビデオインターフェース回路５０は、ＬＣＤコントローラ４０により生成されたバーストゲートパルスＢＧＰに基づいて、ビデオ信号からカラーバースト信号を抽出し、さらに、抽出されたカラーバースト信号に基づいて、ビデオ信号をＲＧＢの各色信号に復調するクロマ処理及びペデスタルクランプ処理を実行して、ビデオ信号からデジタルＲＧＢ信号を生成する。
Ｄ／Ａ変換器６０は、ビデオインターフェース回路５０により生成されたＲＧＢ信号をデジタル−アナログ変換して、信号ドライバ２０にアナログＲＧＢ信号を出力する。
【０００７】
すなわち、ＬＣＤコントローラ４０とビデオインターフェース回路５０とは、液晶表示パネル１０に所望の画像情報を表示させるための種々の制御信号を生成して、信号ドライバ２０及び走査ドライバ３０に出力する駆動制御信号生成装置を構成している。そして、上述したような構成を有する液晶表示装置においては、ビデオ信号に含まれるカラーバースト信号の抽出やクロマ処理、ペデスタルクランプ処理を行う場合、水平同期信号ＸＨＤのタイミングに基づいて生成されるバーストゲートパルスＢＧＰを用いていた。
【０００８】
ここで、ＬＣＤコントローラ４０におけるＢＧＰ生成部の具体構成について、図８を参照して説明する。
図８に示すように、ＢＧＰ生成部は、水平同期信号ＸＨＤの立ち上がり／立ち下がりを検出するエッジ検出回路ＥＤＧと、水平同期信号ＸＨＤの立下りタイミングでリセットされ、システムクロックＳＹＳＣＫに基づいて生成されるクロック信号ＣＫＩをカウントするカウンタ回路ＣＮＴ１と、カウンタ回路ＣＮＴ１のカウント値から、水平同期信号ＸＨＤのパルス幅の判定に用いられる水平同期判定信号ＨＤＷを生成するデコーダ回路ＤＣ１と、水平同期信号ＸＨＤの立ち上がりタイミングでリセットされ、クロック信号ＣＫＩをカウントするカウンタ回路ＣＮＴ２と、カウンタ回路ＣＮＴ２のカウント値から、上述したバーストゲートパルスＢＧＰの基準となるＢＧＰＯ信号（例えば、パルス幅２．９μｓ）を生成するデコーダ回路ＤＣ２と、水平同期判定信号ＨＤＷに基づいて、ＢＧＰＯ信号をバーストゲートパルスＢＧＰとして出力するか否かの出力状態を選択設定するセレクタ回路ＳＥＬＢと、を有して構成されている。
【０００９】
このような構成を有するＢＧＰ生成部における動作について、図９を参照して説明する。
図９に示すように、通常の動作、すなわち、水平同期信号ＸＨＤのパルスが正常なタイミングを有している場合（例えば、パルス幅が１μｓ以上であり、かつ、立ち下がり／立ち上がりタイミングが正常）である場合には、水平同期信号ＸＨＤが“Ｌ”（ロー）レベルに立ち下がると、エッジ検出回路ＥＤＧから立ち下がりリセット信号が出力され、カウンタ回路ＣＮＴ１においてカウント動作が開始される。そして、約１μｓ経過後にカウンタ回路ＣＮＴ１のカウント値が所定値ａに達したとき、水平同期信号ＸＨＤが“Ｌ”レベルであった場合（すなわち、“Ｌ”レベルのパルス幅が１μｓ以上）には、デコーダ回路ＤＣ１から“Ｈ”（ハイ）レベルの水平同期判定信号ＨＤＷがセレクタ回路ＳＥＬＢに出力される。ここで、デコーダ回路ＤＣ１は、１／２水平期間（Ｈ）の経過によりリセットされ、“Ｌ”レベルの水平同期判定信号ＨＤＷを出力する。
【００１０】
次いで、水平同期信号ＸＨＤが“Ｈ”レベルに立ち上がると、エッジ検出回路ＥＤＧから立ち上がりリセット信号が出力され、カウンタ回路ＣＮＴ２においてカウント動作が開始される。そして、カウンタ回路ＣＮＴ２のカウント値が所定値ｂに達したとき、デコーダ回路ＤＣ２からセレクタ回路ＳＥＬＢに“Ｌ”レベルのＢＧＰＯ信号が出力される。
そして、セレクタ回路ＳＥＬＢは、ＢＧＰＯ信号が入力されたとき、水平同期判定信号ＨＤＷが“Ｈ”レベルである場合には、ＢＧＰＯ信号をバーストゲートパルスＢＧＰとして選択設定して出力する。
【００１１】
【発明が解決しようとする課題】
上述したＢＧＰ生成部において、外部から供給されるビデオ信号に対して、テレビ信号が弱電界の場合や、ビデオテープレコーダ（ＶＴＲ）の巻き戻し再生やスローモード再生等の特殊再生を実行した場合には、水平同期信号ＸＨＤのパルス幅が短くなる（約１μｓ以下）現象や、立ち上り／立ち下りタイミングがずれる現象、パルス信号が欠落する現象等を生じる場合があった。
そのため、以下に示すように、バーストゲートパルスＢＧＰが出力されなくなり、ビデオ信号に対するクロマ処理やペデスタルクランプ処理等が正常に行われなくなって、画面が黒くなってしまう等の表示異常を生じるという問題を有していた。
【００１２】
すなわち、上記特殊再生等の動作を行った場合、上述した構成を有するＢＧＰ生成部においては、図１０に示すような異常動作が発生する。なお、ここでは、水平同期信号ＸＨＤのパルス幅が１μｓ以下に短くなった場合の動作について説明する。
図１０に示すように、上述した通常の動作と同様に、水平同期信号ＸＨＤが“Ｌ”レベルに立ち下がると、カウンタ回路ＣＮＴ１においてカウント動作が開始され、次いで、水平同期信号ＸＨＤが“Ｈ”レベルに立ち上がると、カウンタ回路ＣＮＴ２においてカウント動作が開始される。ここで、カウンタ回路ＣＮＴ１により約１μｓ経過後にカウント値が所定値ａに達したとき、水平同期信号ＸＨＤは“Ｈ”レベルに切り替わっているので、デコーダ回路ＤＣ１は、水平同期判定信号ＨＤＷの“Ｌ”レベルを維持してセレクタ回路ＳＥＬＢに出力する。
【００１３】
一方、水平同期信号ＸＨＤが“Ｈ”レベルに立ち上がることによりカウント動作を開始したカウンタ回路ＣＮＴ２のカウント値が所定値ｂになったとき、デコーダ回路ＤＣ２は、セレクタ回路ＳＥＬＢに“Ｌ”レベルのＢＧＰＯ信号を出力する。
セレクタ回路ＳＥＬＢは、ＢＧＰＯ信号が入力されたとき、水平同期判定信号ＨＤＷが“Ｌ”レベルであるので、ＢＧＰＯ信号を選択せず、結局バーストゲートパルスＢＧＰは出力されないことになる。これにより、ビデオ信号からのカラーバースト信号の抽出や、クロマ処理、ペデスタルクランプ処理等が正常に行われなくなって、表示異常が発生する。
尚、このように、水平同期信号ＸＨＤのパルス幅が短く、例えば１μｓ以下、になった場合にバーストゲートパルスＢＧＰが出力されなくなる構成は、本来、ビデオ信号上の１μｓ以下の短いノイズ信号を水平同期信号として誤認しないために、多くの場合に設けられている構成である。
一方、図示していないが、水平同期信号ＸＨＤのパルスが欠落している場合においては、水平同期信号ＸＨＤに立ち下がり、立ち上がりのエッジが存在しないことになるため、カウンタ回路ＣＮＴ１、カウンタ回路ＣＮＴ２におけるカウント動作が開始されず、上述したような水平同期判定信号ＨＤＷやＢＧＰＯ信号が生成されない。
【００１４】
そのため、バーストゲートパルスＢＧＰが出力されないことになり、表示異常が発生していた。
さらに、従来の構成においては、例えば、１／２Ｈ期間内に水平同期信号ＸＨＤ信号に相当する信号（ノイズ）が複数回入力されると、その度にバーストゲートパルスＢＧＰが出力されることになり、クランプされる信号レベルが不正確となるため、画質の劣化が顕著になって、良好かつ安定した表示状態を実現することができないという問題を有していた。
【００１５】
そこで、本発明は、上述した問題を解決して、ビデオ信号の特殊再生等を行って、ビデオ信号に含まれる同期信号のタイミングがずれた場合等であっても、バーストゲートパルス等の制御信号を良好に生成、出力して、表示異常の発生を抑制することができる表示駆動装置を提供することを目的とする。
【００１６】
【課題を解決するための手段】
請求項１記載の表示駆動装置は、映像信号に含まれる同期信号に基づいて、前記映像信号に所定の信号処理を施すための制御信号を生成、出力する表示駆動装置において、前記表示駆動装置は、前記映像信号に含まれる第１の同期信号のタイミング変動を示す判別信号を生成する判別信号生成部と、前記第１の同期信号に基づいて、第１の基準信号を生成する第１の基準信号生成部と、前記第１の同期信号のタイミングの変動に影響されない別個独立した第２の同期信号に基づいて、前記第１の同期信号のタイミング変動を許容する範囲を設定する許容範囲設定部と、前記第２の同期信号に基づいて、第２の基準信号を生成する第２の基準信号生成部と、前記判別信号の所定のタイミングが前記許容範囲に含まれているか否かを判別する判定部と、前記判定の結果に基づいて、前記第１の基準信号又は前記第２の基準信号のいずれかを選択して、前記制御信号として出力する信号選択部と、を備え、前記第２の基準信号の信号幅は、前記第１の基準信号の信号幅よりも短く設定されていることを特徴としている。
【００１７】
請求項２記載の表示駆動装置は、請求項１記載の表示駆動装置において、前記信号選択部は、前記判別部により前記判別信号の所定のタイミングが前記許容範囲に含まれていると判別された場合には、前記第１の基準信号を選択し、前記判別部により前記判別信号の所定のタイミングが前記許容範囲に含まれていないと判別された場合には、前記第２の基準信号を選択することを特徴としている。
請求項３記載の表示駆動装置は、請求項１または２に記載の表示駆動装置において、前記制御信号は、前記映像信号に含まれるカラーバースト信号を抽出するためのバーストゲート信号であることを特徴としている。
【００１８】
【発明の実施の形態】
以下、本発明に係る表示駆動装置の実施の形態について、図面を参照しながら説明する。
図１は、本発明に係る表示駆動装置の一実施形態を示す概略構成図である。ここで、従来技術に示した表示駆動装置（図８）と同等の構成については、同一の符号を付して、その説明を簡略化する。
図１に示すように、本実施形態に係る表示駆動装置（ＢＧＰ生成部）は、従来技術に示した構成と同等のエッジ検出回路ＥＤＧと、カウンタ回路ＣＮＴ１と、デコーダ回路ＤＣ１と、カウンタ回路ＣＮＴ２と、デコーダ回路ＤＣ２と、を備え、さらに、カウンタ回路ＣＮＴ３と、デコーダ回路ＤＣ３と、ウィンドジャッジ回路ＷＪＧと、セレクタ回路ＳＥＬＡと、を有して構成されている。
【００１９】
すなわち、エッジ検出回路ＥＤＧは、水平同期信号（第１の同期信号）ＸＨＤの立ち上がり／立ち下がりを検出する。カウンタ回路ＣＮＴ１は、この水平同期信号ＸＨＤの立下りタイミングでリセットされて、クロック信号ＣＫＩをカウントし、所定のカウント値ａに達すると、デコーダ回路ＤＣ１から水平同期判定信号（判別信号）ＨＤＷがウィンドジャッジ回路ＷＪＧに出力される。また、カウンタ回路ＣＮＴ２は、水平同期信号ＸＨＤの立ち上がりタイミングでリセットされて、クロック信号ＣＫＩをカウントし、所定のカウント値ｂに達すると、デコーダ回路ＤＣ２から所定のパルス幅（例えば、パルス幅２．９μｓ）を有するＢＧＰＯ信号（第１の基準信号）がセレクタ回路ＳＥＬＡに出力される。ここで、カウンタ回路ＣＮＴ１及びデコーダ回路ＤＣ１は、本発明に係る判別信号生成部を構成し、カウンタ回路ＣＮＴ２及びデコーダ回路ＤＣ２は、本発明に係る第１の基準信号生成部を構成している。
【００２０】
そして、カウンタ回路ＣＮＴ３は、例えば、ＬＣＤコントローラ内部で生成され、上記ビデオ信号に含まれる水平同期信号ＸＨＤのタイミングの変動に影響されない独立した水平同期信号（第２の同期信号）ＴＧＨＤの立ち上がりタイミングでリセットされ、クロック信号ＣＫＩをカウントし、デコーダ回路ＤＣ３は、カウンタ回路ＣＮＴ３のカウント値に基づいて、所定のパルス幅（例えば、パルス幅１．８μｓ）を有するＢＧＰＩ信号（第２の基準信号）をセレクタ回路ＳＥＬＡに出力するとともに、水平同期信号ＸＨＤのタイミングのずれ量の許容範囲（ウィンド）を設定するＢＧＰＷＩＮ信号をウィンドジャッジ回路ＷＪＧに出力する。ここで、カウンタ回路ＣＮＴ３及びデコーダ回路ＤＣ３は、本発明に係る第２の基準信号生成部及び許容範囲設定部を構成する。
【００２１】
ウィンドジャッジ回路（判別部）ＷＪＧは、ＢＧＰＷＩＮ信号により設定される許容範囲と上記水平同期判定信号ＨＤＷに基づいて、水平同期信号ＸＨＤのタイミングのずれ量が許容する範囲にあるか否かを判定し、その結果を選択制御信号ＢＧＰＳＥＬとしてセレクタ回路ＳＥＬＡに出力する。
セレクタ回路（信号選択部）ＳＥＬＡは、ウィンドジャッジ回路ＷＪＧから出力されるＢＧＰＳＥＬ信号に基づいて、ＢＧＰＯ信号かＢＧＰＩ信号のいずれかを選択して、バーストゲートパルス（制御信号）ＢＧＰとして出力する。すなわち、ウィンドジャッジ回路ＷＪＧにおいて、水平同期判定信号ＨＤＷのタイミングが上記許容範囲に含まれていると判定された場合には、ＢＧＰＯ信号を選択してバーストゲートパルスＢＧＰとして出力し、一方、上記許容範囲に含まれていないと判定された場合には、ＢＧＰＩ信号を選択してバーストゲートパルスＢＧＰとして出力する。
【００２２】
また、セレクタ回路ＳＥＬＡには、出力制御信号として水平同期信号ＴＧＨＤが入力され、バーストゲートパルスＢＧＰの生成周期である１／２水平期間に１回だけバーストゲートパルスＢＧＰを出力するように構成されている。これにより１回バーストゲートパルスＢＧＰが出力されると、当該処理期間（すなわち、１／２水平期間）内に水平同期信号ＸＨＤに相当するノイズが複数回入力された場合であっても、次に水平同期信号ＴＧＨＤが入力されるまでバーストゲートパルスＢＧＰが複数回出力されることがなくなり、クランプされる信号レベルを適切に確保して、良好かつ安定した表示状態を実現することができる。
【００２３】
ここで、ＢＧＰＩ信号及びＢＧＰＷＩＮ信号は、ビデオ信号に含まれる水平同期信号ＸＨＤとは別個独立した水平同期信号ＴＧＨＤに基づいて生成されているので、水平同期信号ＸＨＤのタイミングのずれや欠落が生じた場合であっても、常に正確かつ一定のタイミングを有して変化し、その影響を受けることはない。なお、上述したＴＧＨＤは、基本的には、正常な水平同期信号ＸＨＤの入力によりＰＬＬ（Phase Locked Loop）がかかる発振回路を用いて、カウンタによりクロック信号をカウントして、そのデコード値から生成される。したがって、水平同期信号ＸＨＤが正常なタイミングを有している場合には、水平同期信号ＸＨＤの立ち下がりタイミングと水平同期信号ＴＧＨＤの立ち上がりタイミングが、一致するように調整されて、表示駆動装置に入力される。
【００２４】
次に、本実施形態に係る表示駆動装置の動作について、図面を参照して説明する。
（通常動作の場合）
まず、水平同期信号ＸＨＤのパルスが正常（例えば、パルス幅が１μｓ以上であり、かつ、立ち下がり／立ち上がりタイミングが正常）な通常の動作の場合について説明する。
図２は、本実施形態に係る表示駆動装置における通常の動作を示すタイミングチャートである。
図２に示すように、水平同期信号ＸＨＤが“Ｌ”レベルに立ち下がると、エッジ検出回路ＥＤＧから立ち下がりリセット信号が出力され、カウンタ回路ＣＮＴ１においてカウント動作が開始される。そして、約１μｓ経過後にカウンタ回路ＣＮＴ１のカウント値が所定値ａに達したとき、水平同期信号ＸＨＤが“Ｌ”レベルであった場合には、デコーダ回路ＤＣ１から“Ｈ”レベルの水平同期判定信号ＨＤＷがウィンドジャッジ回路ＷＪＧに出力される。
【００２５】
次いで、水平同期信号ＸＨＤが“Ｈ”レベルに立ち上がると、エッジ検出回路ＥＤＧから立ち上がりリセット信号が出力され、カウンタ回路ＣＮＴ２においてカウント動作が開始される。そして、カウンタ回路ＣＮＴ２のカウント値が所定値ｂに達したとき、デコーダ回路ＤＣ２からセレクタ回路ＳＥＬＡに所定のパルス幅（例えば、２．９μｓ）を有する“Ｌ”レベルのＢＧＰＯ信号が出力される。
一方、水平同期信号ＴＧＨＤは、カウンタ回路ＣＮＴ３にリセット信号として入力され、水平同期信号ＨＸＤの立ち下がりタイミングと同じタイミングで水平同期信号ＴＧＨＤが立ち上がると、カウンタ回路ＣＮＴ３がリセットされて、カウント動作が開始される。そして、カウンタ回路ＣＮＴ３が所定のカウント値ｄ１に達したとき、デコーダ回路ＤＣ３から、水平同期判定信号ＨＤＷの立ち上がりタイミングの変動が許容される範囲（許容範囲）を規定する“Ｈ”レベルのＢＧＰＷＩＮ信号がウィンドジャッジ回路ＷＪＧに出力される。
【００２６】
ここで、ＢＧＰＷＩＮ信号は、上記水平同期判定信号ＨＤＷの“Ｈ”レベルへの立ち上がりタイミングから、予め設定された許容範囲を示す時間（例えば、遅延許容範囲４．２μｓ）に相当するカウント値ｄ２に達すると、“Ｌ”レベルに立ち下がるように、一定のパルス幅を有して設定されている。すなわち、ＢＧＰＷＩＮ信号は、ビデオ信号の信号処理を良好に行うことができる水平同期信号ＸＨＤの変動の許容範囲を規定するものである。
また、カウンタ回路ＣＮＴ３が所定のカウント値ｅに達すると、デコーダ回路ＤＣ３からＢＧＰＯ信号のパルス幅（例えば、２．９μｓ）よりも短い所定のパルス幅（例えば、１．８μｓ）を有する“Ｌ”レベルのＢＧＰＩ信号がセレクタ回路ＳＥＬＡに出力される。
【００２７】
そして、通常の動作時には、ＢＧＰＷＩＮ信号が“Ｈ”レベルとなる許容範囲内に、水平同期判定信号ＨＤＷの“Ｈ”レベルへの立ち上がりタイミングが存在するので、ウィンドジャッジ回路ＷＪＧは、水平同期信号ＸＨＤをビデオ信号の信号処理に良好に適用できる（タイミングのずれや欠落がない）ものと判断して、ＢＰＧＯ信号を選択するための選択制御信号ＢＧＰＳＥＬをセレクタ回路ＳＥＬＡに出力する。セレクタ回路ＳＥＬＡは、選択制御信号ＢＧＰＳＥＬに基づいて、ＢＧＰＯ信号を選択設定してバーストゲートパルスＢＧＰとして出力する。このように、水平同期信号ＸＨＤが正常な場合には、水平同期信号ＸＨＤに基づいて生成されるＢＧＰＯ信号がバーストゲートパルスＢＧＰとして出力され、このバーストゲートパルスＢＧＰに基づいて、ビデオ信号からカラーバースト信号の抽出や、クロマ処理、ペデスタルクランプ処理が行われて、正常な表示動作が行われる。ここで、セレクタ回路ＳＥＬＡは、水平同期信号ＴＧＨＤに基づいて、１／２水平期間内に１回だけ、バーストゲートパルスＢＧＰの出力を許容するので、以後、水平同期信号ＸＨＤに相当するノイズが複数回入力されてもバーストゲートパルスＢＧＰは出力されない。なお、このような出力制御処理は、後述する特殊動作の場合にも同様に実行される。
【００２８】
（特殊動作の場合）
次に、特殊動作等により、水平同期信号ＸＨＤに異常（例えば、パルス幅が１μｓ以下）が生じた場合の動作について説明する。
図３は、本実施形態に係る表示駆動装置における異常時（水平同期信号ＸＨＤのパルス幅が１μｓ以下の場合）の動作例を示すタイミングチャートである。
図３に示すように、水平同期信号ＸＨＤが“Ｌ”レベルに立ち下がると、エッジ検出回路ＥＤＧから立ち下がりリセット信号が出力され、カウンタ回路ＣＮＴ１においてカウント動作が開始される。
ここで、カウンタ回路ＣＮＴ１により約１μｓ経過後にカウント値が所定値ａに達したとき、水平同期信号ＸＨＤはすでに“Ｈ”レベルに切り替わっているので、デコーダ回路ＤＣ１は、水平同期判定信号ＨＤＷの“Ｌ”レベルを維持してウィンドジャッジ回路ＷＪＧに出力する。
【００２９】
また、水平同期信号ＸＨＤが“Ｈ”レベルに立ち上がると、エッジ検出回路ＥＤＧから立ち上がりリセット信号が出力され、カウンタ回路ＣＮＴ２においてカウント動作が開始される。そして、カウンタ回路ＣＮＴ２のカウント値が所定値ｂに達したとき、デコーダ回路ＤＣ２は、“Ｌ”レベルのＢＧＰＯ信号をセレクタ回路ＳＥＬＡに出力する。
一方、所定のタイミングで水平同期信号ＴＧＨＤが立ち上がると、カウンタ回路ＣＮＴ３がリセットされて、カウント動作が開始される。そして、カウンタ回路ＣＮＴ３が所定のカウント値ｄ１に達したとき、デコーダ回路ＤＣ３から、上記許容範囲を規定する“Ｈ”レベルのＢＧＰＷＩＮ信号がウィンドジャッジ回路ＷＪＧに出力され、予め設定された許容範囲に相当する時間の経過後（カウント値ｄ２）に“Ｌ”レベルに立ち下がる。
また、カウンタ回路ＣＮＴ３が所定のカウント値ｅに達すると、デコーダ回路ＤＣ３から所定のパルス幅を有する“Ｌ”レベルのＢＧＰＩ信号がセレクタ回路ＳＥＬＡに出力される。
【００３０】
ここで、水平同期信号ＸＨＤのパルス幅が１μｓ以下となる特殊動作の場合には、ＢＧＰＷＩＮ信号が“Ｈ”レベルとなる許容範囲内に、水平同期判定信号ＨＤＷの“Ｈ”レベルへの立ち上がりタイミングが存在しないので、ウィンドジャッジ回路ＷＪＧは、水平同期信号ＸＨＤがビデオ信号の信号処理に適用できる許容範囲を外れているものと判断して、ＢＰＧＩ信号を選択するための選択制御信号ＢＧＰＳＥＬをセレクタ回路ＳＥＬＡに出力する。セレクタ回路ＳＥＬＡは、選択制御信号ＢＧＰＳＥＬに基づいて、ＢＧＰＩ信号を選択設定してバーストゲートパルスＢＧＰとして出力する。
このように、水平同期信号ＸＨＤのパルス幅が１μｓ以下となる異常が発生した場合には、水平同期信号ＴＧＨＤに基づいて生成されるＢＧＰＩ信号がバーストゲートパルスＢＧＰとして出力され、このバーストゲートパルスＢＧＰに基づいて、ビデオ信号からカラーバースト信号の抽出や、クロマ処理、ペデスタルクランプ処理が行われて表示動作が行われる。
【００３１】
次に、特殊動作等により、水平同期信号ＸＨＤに異常（例えば、立ち上がり／立ち下がりタイミングのずれやシフト）が生じた場合の動作について説明する。
図４は、本実施形態に係る表示駆動装置における異常時（水平同期信号ＸＨＤの立ち上がり／立ち下がりタイミングがずれている場合）の第１の動作例を示すタイミングチャートであり、図５は、本実施形態に係る表示駆動装置における異常時（水平同期信号ＸＨＤの立ち上がり／立ち下がりタイミングがずれている場合）の第２の動作例を示すタイミングチャートである。
図４に示すように、水平同期信号ＸＨＤが“Ｌ”レベルに立ち下がると、エッジ検出回路ＥＤＧから立ち下がりリセット信号が出力され、カウンタ回路ＣＮＴ１においてカウント動作が開始される。ここで、約１μｓ経過後にカウンタ回路ＣＮＴ１のカウント値が所定値ａに達したとき、水平同期信号ＸＨＤが“Ｌ”レベルであった場合には、デコーダ回路ＤＣ１から“Ｈ”レベルの水平同期判定信号ＨＤＷがウィンドジャッジ回路ＷＪＧに出力される。
【００３２】
次いで、水平同期信号ＸＨＤが“Ｈ”レベルに立ち上がると、エッジ検出回路ＥＤＧから立ち上がりリセット信号が出力され、カウンタ回路ＣＮＴ２においてカウント動作が開始される。そして、カウンタ回路ＣＮＴ２のカウント値が所定値ｂに達したとき、デコーダ回路ＤＣ２からセレクタ回路ＳＥＬＡに“Ｌ”レベルのＢＧＰＯ信号が出力される。
一方、所定のタイミングで水平同期信号ＴＧＨＤが立ち上がると、カウンタ回路ＣＮＴ３がリセットされて、カウント動作が開始される。そして、カウンタ回路ＣＮＴ３が所定のカウント値ｄ１に達したとき、デコーダ回路ＤＣ３から、上記許容範囲を規定する“Ｈ”レベルのＢＧＰＷＩＮ信号がウィンドジャッジ回路ＷＪＧに出力され、予め設定された許容範囲に相当する時間の経過後（カウント値ｄ２）に“Ｌ”レベルに立ち下がる。
また、カウンタ回路ＣＮＴ３が所定のカウント値ｅに達すると、デコーダ回路ＤＣ３から所定のパルス幅を有する“Ｌ”レベルのＢＧＰＩ信号がセレクタ回路ＳＥＬＡに出力される。
【００３３】
ここで、水平同期信号ＸＨＤのタイミングのずれが、ビデオ信号の信号処理に影響を及ぼさない範囲で生じる特殊動作の場合には、ＢＧＰＷＩＮ信号が“Ｈ”レベルとなる許容範囲内に、水平同期判定信号ＨＤＷの“Ｈ”レベルへの立ち上がりタイミングが存在するので、ウィンドジャッジ回路ＷＪＧは、水平同期信号ＸＨＤをビデオ信号の信号処理に適用できる（タイミングのずれが許容範囲内）ものと判断して、ＢＰＧＯ信号を選択するための選択制御信号ＢＧＰＳＥＬをセレクタ回路ＳＥＬＡに出力する。セレクタ回路ＳＥＬＡは、選択制御信号ＢＧＰＳＥＬに基づいて、ＢＧＰＯ信号を選択設定してバーストゲートパルスＢＧＰとして出力する。
このように、水平同期信号ＸＨＤのタイミングのずれが軽微な場合には、水平同期信号ＸＨＤに基づいて生成されるＢＧＰＯ信号がバーストゲートパルスＢＧＰとして出力され、このバーストゲートパルスＢＧＰに基づいて、ビデオ信号からカラーバースト信号の抽出や、クロマ処理、ペデスタルクランプ処理が行われて表示動作が行われる。この場合、バーストゲートパルスＢＧＰの出力タイミングが、正常動作時に比較して遅延するが、上記信号処理や画像情報の表示動作への影響は極めて小さく抑制される。
【００３４】
一方、水平同期信号ＸＨＤのタイミングのずれが、ビデオ信号の信号処理に影響を及ぼす程度に大幅に遅延等を生じる特殊動作の場合には、図５に示すように、ＢＧＰＷＩＮ信号が“Ｈ”レベルとなる許容範囲内に、水平同期判定信号ＨＤＷの“Ｈ”レベルへの立ち上がりタイミングが存在しないので、ウィンドジャッジ回路ＷＪＧは、水平同期信号ＸＨＤがビデオ信号の信号処理に適用できる許容範囲を外れているものと判断して、ＢＰＧＩ信号を選択するための選択制御信号ＢＧＰＳＥＬをセレクタ回路ＳＥＬＡに出力する。セレクタ回路ＳＥＬＡは、選択制御信号ＢＧＰＳＥＬに基づいて、ＢＧＰＩ信号を選択設定してバーストゲートパルスＢＧＰとして出力する。
このように、水平同期信号ＸＨＤのタイミングのずれが過大である場合には、水平同期信号ＴＧＨＤに基づいて生成されるＢＧＰＩ信号がバーストゲートパルスＢＧＰとして出力され、このバーストゲートパルスＢＧＰに基づいて、ビデオ信号からカラーバースト信号の抽出や、クロマ処理、ペデスタルクランプ処理が行われて表示動作が行われる。
【００３５】
次に、特殊動作等により、水平同期信号ＸＨＤに異常（例えば、水平同期信号ＸＨＤのパルスの欠落）が生じた場合の動作について説明する。
水平同期信号ＸＨＤのパルスが欠落している場合においては、水平同期信号ＸＨＤに、立ち下がり、立ち上がりのエッジが存在しないため、カウンタ回路ＣＮＴ１、カウンタ回路ＣＮＴ２におけるカウント動作が開始されず、水平同期判定信号ＨＤＷ、ＢＧＰＯ信号のいずれも生成されない。そのため、ＢＧＰＷＩＮ信号が“Ｈ”レベルとなる許容範囲内に、水平同期判定信号ＨＤＷの“Ｈ”レベルへの立ち上がりタイミングが存在しないので、ウィンドジャッジ回路ＷＪＧは、水平同期信号ＸＨＤがビデオ信号の信号処理に適用できる許容範囲を外れている、又は、パルスが欠落しているものと判断して、ＢＰＧＩ信号を選択するための選択制御信号ＢＧＰＳＥＬをセレクタ回路ＳＥＬＡに出力する。セレクタ回路ＳＥＬＡは、選択制御信号ＢＧＰＳＥＬに基づいて、ＢＧＰＩ信号を選択設定してバーストゲートパルスＢＧＰとして出力する。
【００３６】
このように、水平同期信号ＸＨＤのパルスが欠落している場合には、水平同期信号ＴＧＨＤに基づいて生成されるＢＧＰＩ信号がバーストゲートパルスＢＧＰとして出力され、このバーストゲートパルスＢＧＰに基づいて、ビデオ信号からカラーバースト信号の抽出や、クロマ処理、ペデスタルクランプ処理が行われて表示動作が行われる。
上述したように、本実施形態に係る表示駆動装置おいては、ウィンドジャッジ回路ＷＪＧにより、水平同期信号ＴＧＨＤに基づいて生成されるＢＧＰＷＩＮ信号により規定される許容範囲内に、水平同期信号ＸＨＤのタイミングの変動を示す水平同期判定信号ＨＤＷの立ち上がりタイミングが存在するか否かを判別して、許容範囲内にない場合には、一義的にＢＧＰＩ信号を選択する制御信号ＢＧＰＳＥＬをセレクタ回路ＳＥＬＡに出力して、水平同期信号ＸＨＤ信号の異常の影響を受けているＢＧＰＯ信号に代えて、水平同期信号ＴＧＨＤに基づいて生成されるＢＧＰＩ信号を便宜的にバーストゲートパルスＢＧＰとして出力するようにしている。
【００３７】
したがって、ＢＧＰＷＩＮ信号によって規定される許容範囲において、水平同期信号ＸＨＤのタイミングのずれを許容し、それ以上遅れた場合やパルス幅が１μｓ幅以下の場合、あるいは、パルスが欠落している場合には、水平同期信号ＴＧＨＤに基づいて生成されるＢＧＰＩ信号に基づいてバーストゲートパルスＢＧＰが生成され、出力され、上記異常時にバーストゲートパルスＢＧＰが出力されなくなる現象を防止することができ、画質の劣化を抑制して安定した表示状態を実現することができる。
また、本実施形態に係る表示駆動装置によれば、セレクタ回路ＳＥＬＡは、水平同期信号ＴＧＨＤに基づいて、１／２水平期間内に１回だけ、バーストゲートパルスＢＧＰの出力を許容するように構成されているので、上記許容範囲内に最初に水平同期判定信号ＨＤＷが立ち上がった場合のみ、すなわち、１／２Ｈ期間内の正しい位置に１回だけ、バーストゲートパルスＢＧＰが出力されることになり、クランプされる信号レベルが適切に確保され、良好かつ安定した表示状態を実現することができる。
【００３８】
なお、上述した実施形態においては、ＢＧＰＷＩＮ信号による遅延許容範囲を、水平同期判定信号ＨＤＷの立ち上がり時点から４．２μｓとした場合について説明したが、これは、４．２μｓ以上遅延するとＢＧＰＯ信号の出力タイミングが、ビデオ信号に含まれる映像データの領域にずれ込んでしまうことを避けるために設定したものである。但し、この映像データ領域、すなわち、表示開始タイミングは、表示パネルの画素数やアスペクト比によって決定される値であるので、常に一定の値という訳ではなく、上記遅延許容範囲についても、４．２μｓに限定されるものではないことは言うまでもない。
【００３９】
また、上述した実施形態において、ＢＧＰＯ信号のパルス幅を２．９μｓと設定したのは、一般的に使用されている制御ＩＣにおけるパルス幅の規格値に基づいたものである。これに対し、ＢＧＰＩ信号のパルス幅をこれより短い１．８μｓと設定したのは、上述したように、本来ＢＧＰＩ信号が選択される場合というのは、水平同期信号ＸＨＤが正常な状態ではないため、カラーバースト信号にも正常な状態ではない可能性があるため、出力されるバーストゲートパルスＢＧＰ（すなわち、ＢＧＰＩ信号）のパルス幅を極力短くして、信号レベルのクランプ時間を短くし、カラーバースト信号の抽出を必要最小限の時間にするためである。なお、この１．８μｓというパルス幅は、映像データの実測実力値に基づくものである。
さらに、上記実施形態においては、液晶表示パネルを用いた表示駆動装置の場合について記載したが、本発明はこれに限定されるものではなく、ビデオ信号（映像信号）に含まれる同期信号に基づいて、信号処理に必要な制御信号を生成する構成を有する他の表示手段にも良好に適用することができるものであることは言うまでもない。
【００４０】
【発明の効果】
請求項１又は３記載の発明によれば、第１の同期信号に基づいて、第１の基準信号を生成する第１の基準信号生成部と、第１の同期信号のタイミングの変動に影響されない別個独立した第２の同期信号に基づいて、第１の同期信号のタイミング変動を許容する範囲を設定する許容範囲設定部と、第２の同期信号に基づいて、第２の基準信号を生成する第２の基準信号生成部と、第１の同期信号のタイミングの変動を示す判別信号の所定のタイミングが許容範囲に含まれているか否かを判別する判定部と、を備えているので、映像信号に含まれる水平同期信号のタイミングが、所定の許容範囲内にあるか否かを判定し、この判定結果に基づいて、バーストゲートパルス等の制御信号を生成するための基準信号（第１の基準信号、第２の基準信号）を切り換え設定することにより、水平同期信号のパルス幅が所定幅よりも短くなった場合やタイミングがずれた場合、パルスが欠落した場合であっても、バーストゲートパルスを常時出力して、ビデオ信号に含まれるカラーバースト信号の抽出や、クロマ処理、ペデスタルクランプ処理を正常に行うことができ、画質の劣化を抑制して安定した表示状態を実現することができる。
また、第２の基準信号の信号幅が、第１の基準信号の信号幅よりも短く（狭く）設定されているので、第１の同期信号のタイミング変動により、不適正なタイミングを有する映像信号の場合には、生成、出力される制御信号のパルス幅を、少なくとも画質の劣化を回避できる程度に極力短くすることにより、タイミングずれ等の表示への影響を最低限に止めて、表示状態の劣化を目立たないようにすることができる。
【００４１】
請求項２記載の発明によれば、画像情報の表示動作において支障がないように設定された許容範囲に基づいて、第１の同期信号のタイミング変動の正常、異常を判別しているので、第１の同期信号が許容範囲を逸脱するタイミングを有する場合や、第１の同期信号が欠落した場合等にのみ、第１の同期信号のタイミング変動に影響されない第２の同期信号に基づく第２の基準信号を選択して、制御信号が出力されない状態を回避し、画質の劣化を抑制することができる。
【図面の簡単な説明】
【図１】本発明に係る表示駆動装置の一実施形態を示す概略構成図である。
【図２】本実施形態に係る表示駆動装置における通常の動作を示すタイミングチャートである。
【図３】本実施形態に係る表示駆動装置における異常時（水平同期信号ＸＨＤのパルス幅が１μｓ以下の場合）の動作例を示すタイミングチャートである。
【図４】本実施形態に係る表示駆動装置における異常時（水平同期信号ＸＨＤの立ち上がり／立ち下がりタイミングがずれている場合）の第１の動作例を示すタイミングチャートである。
【図５】本実施形態に係る表示駆動装置における異常時（水平同期信号ＸＨＤの立ち上がり／立ち下がりタイミングがずれている場合）の第２の動作例を示すタイミングチャートである。
【図６】従来技術における液晶表示装置を示す概略構成図である。
【図７】ビデオ信号と他の制御信号との関係を示すタイミングチャートである。
【図８】従来技術における液晶表示装置に適用されるＢＧＰ生成部の具体構成図である。
【図９】従来技術における液晶表示装置に適用されるＢＧＰ生成部における通常動作を示すタイミングチャートである。
【図１０】従来技術における液晶表示装置に適用されるＢＧＰ生成部における異常動作を示すタイミングチャートである。
【符号の説明】
ＣＮＴ１〜ＣＮＴ３      カウンタ回路
ＤＣ１〜ＤＣ３          デコーダ回路
ＳＥＬＡ、ＳＥＬＢ      セレクタ回路
ＷＪＧ              ウィンドジャッジ回路
ＸＨＤ、ＴＧＨＤ    水平同期信号
ＨＤＷ              水平同期判定信号
ＢＧＰ              バーストゲートパルス
１０                液晶表示パネル
２０                信号ドライバ
３０                走査ドライバ
４０                ＬＣＤコントローラ
５０                ビデオインターフェース回路
【図１】
0004035937.tif 000002
【図２】
0004035937.tif 000003
【図３】
0004035937.tif 000004
【図４】
0004035937.tif 000005
【図５】
0004035937.tif 000006
【図６】
0004035937.tif 000007
【図７】
0004035937.tif 000008
【図８】
0004035937.tif 000009
【図９】
0004035937.tif 000010
【図１０】
0004035937.tif 000011